(57)【要約】【課題】作業者が乗かごの上に乗って保守点検等の作業を行なう場合に、乗かごを最善の固定位置で簡単に位置固定することができるエレベータのかご固定装置を提供する。【解決手段】エレベータのかご固定装置において、エレベータ昇降路１内に設けられているガイドレール２に取付けられ、係合穴１０を有する係合体９と、エレベータ昇降路１内に昇降可能に設けられた乗かご３に取付けられ、係合穴１０に係合する位置とこの係合を解除する位置とに摺動可能な摺動体１６を有する固定装置１５とを備える。係合体９は、ガイドレール２に固定された支持体７に上下方向位置調節可能に連結されている。【選択図】    図１
2011051733.tif 000002
【特許請求の範囲】
【請求項１】
エレベータ昇降路内に設けられているガイドレールに取付けられ、係合穴を有する係合体と、
前記エレベータ昇降路内に昇降可能に設けられた乗かごに取付けられ、前記係合穴に係合する位置とこの係合を解除する位置とに摺動可能な摺動体を有する固定装置とを備え、
前記係合体は、前記ガイドレールに固定された支持体に上下方向位置調節可能に連結されている、
ことを特徴とするエレベータのかご固定装置。
【請求項２】
エレベータ昇降路内に設けられているガイドレールに取付けられ、係合穴を有する係合体と、
前記エレベータ昇降路内に昇降可能に設けられた乗かごに取付けられ、前記係合穴に係合する位置とこの係合を解除する位置とに摺動可能な摺動体を有する固定装置とを備え、
前記摺動体は、上下方向に伸縮可能及び伸縮させた任意の位置で固定可能に設けられている、
ことを特徴とするエレベータのかご固定装置。
【請求項３】
エレベータ昇降路内に設けられているガイドレールに取付けられ、係合穴を有する係合体と、
前記エレベータ昇降路内に昇降可能に設けられた乗かごに取付けられ、前記係合穴に係合する位置とこの係合を解除する位置とに摺動可能な摺動体を有する固定装置とを備え、
前記係合体は、前記ガイドレールに固定された支持体に上下方向位置調節可能に連結され、
前記摺動体は、上下方向に伸縮可能及び伸縮させた任意の位置で固定可能に設けられている、
ことを特徴とするエレベータのかご固定装置。
【請求項４】
エレベータ昇降路内に昇降可能に設けられた乗かごに取付けられ、前記エレベータ昇降路内に設けられたガイドレールに寄った位置と前記ガイドレールから離反する位置とに移動可能な収容体を有し、
前記収容体には、前記収容体を前記ガイドレールに寄った位置に移動させた場合に、前記ガイドレールに対向するとともに上方から下方に向けて前記ガイドレールに近付くように傾斜した傾斜面部が形成され、
前記収容体には、前記収容体を前記ガイドレールに寄った位置に移動させた場合に前記ガイドレールと前記収容体の傾斜面部との間に食い込むクサビ体が収容されている、
ことを特徴とするエレベータのかご固定装置。
【発明の詳細な説明】
【技術分野】
【０００１】
本発明は、作業員が乗かごの上に乗って作業をする場合に、乗かごを昇降しないように位置固定するエレベータのかご固定装置に関する。
【背景技術】
【０００２】
エレベータの保守点検等の作業時において、作業員が乗かごの上に乗って作業を行なう場合があり、この作業時には乗かごを昇降しないように位置固定する必要がある。
【０００３】
作業時に乗かごを昇降しないように位置固定するかご固定装置としては、例えば、下記特許文献１に記載されたものが知られている。
【０００４】
特許文献１に記載されたかご固定装置は、エレベータ昇降路内に設けられて乗かごが昇降する際のガイドとなる一対のガイドレールにそれぞれストッパを着脱可能に取付け、ガイドレールに係合されている乗かごのガイドシューをストッパに当接させることにより、乗かごの上昇を防止している。
【０００５】
また、図１７に示すように、エレベータ昇降路内に設けられているガイドレール１００に、複数の固定穴１０１が形成された固定板１０２を固定し、スライド可能な固定軸１０３を有する固定装置１０４を乗かごの上部に取付けたかご固定装置も知られている。
【０００６】
図１７に示したかご固定装置は、固定軸１０３をスライドさせていずれかの固定穴１０１に係合させることにより、乗かごを位置固定している。
【先行技術文献】
【特許文献】
【０００７】
【特許文献１】特開２００４−１１５２４４号公報
【発明の概要】
【発明が解決しようとする課題】
【０００８】
しかしながら、特許文献１に記載されたかご固定装置では、一対のガイドレールにそれぞれ取付けるストッパを同じ高さ位置に取付ける必要があり、その取付け作業に手間がかかり、保守点検等の作業時間が長引くという問題がある。
【０００９】
また、このかご固定装置では、何らかの原因で乗かごが下降する場合には、その下降を防止することができない。
【００１０】
図１７に示したかご固定装置では、乗かごの位置固定を短時間で行なうことができ、しかも、乗かごの上昇と下降との両方を防止することができる。
【００１１】
しかし、ガイドレール１００には様々な機器や部材が取付けられており、また、ガイドレールは一定間隔毎に継ぎ目板が取付けられている。このため、このような機器や部材及び継ぎ目板が取付けられている箇所には、固定板１０２を固定することができない。
【００１２】
このため、保守点検等の作業を行なう際の最善の固定位置で乗かごを位置固定することができず、乗かごを次善の固定位置で位置固定して作業を行なうことになり、作業員は作業しにくい姿勢で作業を行なわなければならない場合がある。
【００１３】
本発明はこのような課題を解決するためになされたもので、その目的は、作業者が乗かごの上に乗って保守点検等の作業を行なう場合に、乗かごを最善の固定位置で簡単に位置固定することができるエレベータのかご固定装置を提供することである。
【課題を解決するための手段】
【００１４】
本発明の実施の形態に係る第１の特徴は、エレベータのかご固定装置において、エレベータ昇降路内に設けられているガイドレールに取付けられ、係合穴を有する係合体と、前記エレベータ昇降路内に昇降可能に設けられた乗かごに取付けられ、前記係合穴に係合する位置とこの係合を解除する位置とに摺動可能な摺動体を有する固定装置とを備え、前記係合体は、前記ガイドレールに固定された支持体に上下方向位置調節可能に連結されていることである。
【００１５】
本発明の実施の形態に係る第２の特徴は、エレベータのかご固定装置において、エレベータ昇降路内に設けられているガイドレールに取付けられ、係合穴を有する係合体と、前記エレベータ昇降路内に昇降可能に設けられた乗かごに取付けられ、前記係合穴に係合する位置とこの係合を解除する位置とに摺動可能な摺動体を有する固定装置とを備え、前記摺動体は、上下方向に伸縮可能及び伸縮させた任意の位置で固定可能に設けられていることである。
【００１６】
本発明の実施の形態に係る第３の特徴は、エレベータのかご固定装置において、エレベータ昇降路内に設けられているガイドレールに取付けられ、係合穴を有する係合体と、前記エレベータ昇降路内に昇降可能に設けられた乗かごに取付けられ、前記係合穴に係合する位置とこの係合を解除する位置とに摺動可能な摺動体を有する固定装置とを備え、前記係合体は、前記ガイドレールに固定された支持体に上下方向位置調節可能に連結され、前記摺動体は、上下方向に伸縮可能及び伸縮させた任意の位置で固定可能に設けられていることである。
【００１７】
本発明の実施の形態に係る第４の特徴は、エレベータのかご固定装置において、エレベータ昇降路内に昇降可能に設けられた乗かごに取付けられ、前記エレベータ昇降路内に設けられたガイドレールに寄った位置と前記ガイドレールから離反する位置とに移動可能な収容体を有し、前記収容体には、前記収容体を前記ガイドレールに寄った位置に移動させた場合に、前記ガイドレールに対向するとともに上方から下方に向けて前記ガイドレールに近付くように傾斜した傾斜面部が形成され、前記収容体には、前記収容体を前記ガイドレールに寄った位置に移動させた場合に前記ガイドレールと前記収容体の傾斜面部との間に食い込むクサビ体が収容されていることである。
【発明の効果】
【００１８】
本発明によれば、作業者が乗かごの上に乗って保守点検等の作業を行なう場合に、乗かごを最善の固定位置で簡単に位置固定することができる。
【図面の簡単な説明】
【００１９】
【図１】本発明の第１の実施の形態のエレベータを示す斜視図である。
【図２】かご固定装置を示す斜視図である。
【図３】かご固定装置を示す側面図である。
【図４】係合体と支持体との連結状態を示す正面図である。
【図５】本発明の第２の実施の形態のエレベータを示す斜視図である。
【図６】かご固定装置を示す側面図である。
【図７】摺動体を伸ばした状態のかご固定装置を示す側面図である。
【図８】本発明の第３の実施の形態のエレベータを示す斜視図である。
【図９】かご固定装置を示す側面図である。
【図１０】本発明の第４の実施の形態の収納した係合体を示す水平断面図である。
【図１１】摺動体との係合位置に移動させた係合体を示す水平断面図である。
【図１２】本発明の第５の実施の形態のエレベータを示す斜視図である。
【図１３】かご固定装置を示す正面図である。
【図１４】収容体をガイドレールを挟む位置に回動させた状態を示す正面図である。
【図１５】ガイドレールを挟む位置に回動させた収容体内のクサビ体の位置関係を示す側面図である。
【図１６】クサビ体をガイドレールの側面に食い込ませた状態を示す側面図である。
【図１７】従来例のかご固定装置を示す斜視図である。
【発明を実施するための形態】
【００２０】
以下、本発明の実施の形態を図面を用いて説明する。
【００２１】
（第１の実施の形態）
本発明の第１の実施の形態を、図１ないし図４に基づいて説明する。図１に示すように、建物内にエレベータ昇降路１が形成され、このエレベータ昇降路１内には上下方向に延出した一対のガイドレール２と、ガイドレール２に沿って昇降可能な乗かご３とが設置されている。乗かご３にはかご枠４が設けられており、かご枠４の四隅にガイドシュー５が取付けられ、これらのガイドシュー５がガイドレール２に摺動可能に係合されている。また、かご枠４には、巻上機（図示せず）に巻き掛けられたエレベータロープ６の一端が連結されている。
【００２２】
一方のガイドレール２には、このガイドレール２におけるガイドシュー５が係合する側の裏面側に位置して、支持体である支持板７がボルト８とナットとにより固定されている。なお、図１では支持板７を一つだけ示しているが、支持板７はガイドレール２の長手方向に沿って所定間隔ごとに複数固定されている。
【００２３】
支持板７には、係合体である係合板９が上下方向位置調節可能に連結されている。係合板９には、上下方向に沿って複数の係合穴１０が形成されている。
【００２４】
支持板７と係合板９との上下方向位置調節可能な連結は、図４に示すように、支持板７に上下方向に沿って形成されている複数の連結穴１１と、係合板９に上下方向に沿って形成されている複数の連結穴１２とを選択的に対向させ、対向した連結穴１１，１２にボルト１３を挿通し、挿通したボルト１３の先端部にナット１４を螺合させることにより行なわれている。なお、図４（ａ）に示した係合板９は最も低くなる位置で支持板７に連結した状態であり、図４（ｂ）に示した係合板９は最も高くなる位置で支持板７に連結した状態である。
【００２５】
かご枠４の上部には、固定装置１５が取付けられている。固定装置１５は、外装ケース１８と摺動体である係合軸１６とを有している。係合軸１６は、直線状の丸棒部材により形成されており、軸心方向を係合板９に向けて水平向きに配置され、軸心方向に沿って摺動可能及び軸心回りに回動可能に外装ケース１８に保持されている。係合軸１６には、係合軸１６を軸心回りに回動操作し、及び、軸心方向に摺動操作する場合に把持する操作突起１７が設けられている。また、外装ケース１８には、操作突起１７を係合させて係合軸１６の摺動動作を規制する一対の係合溝１９ａ，１９ｂが形成されている。係合軸１６を軸心方向に摺動操作し、摺動操作した位置で係合軸１６を軸心回りに回動させて操作突起１７をいずれかの係合溝１９ａ，１９ｂに係合させることにより、係合軸１６を摺動操作した位置で位置固定することができる。
【００２６】
なお、係合板９に形成されている係合穴１０は、係合軸１６の先端部が係合可能な寸法に形成されている。このため、図３の実線で示すように係合軸１６と係合穴１０とを水平方向で対向するように位置合わせし、係合軸１６を係合板９の方向に摺動させることにより、図３の破線で示すように係合軸１６の先端部が係合穴１０に係合する。
【００２７】
このような構成において、保守点検等の作業を行なうために乗かご３を位置固定する場合には、係合軸１６がいずれかの係合穴１０に水平方向で対向する位置で乗かご３を停止させ、乗かご３の上に乗った作業員が係合軸１６を回動操作及び摺動操作する。この回動操作及び摺動操作では、まず、図２、及び図３の実線で示すように操作突起１７が係合溝１９ａに係合している係合軸１６を軸心回りに回動させ、操作突起１７と係合溝１９ａとの係合を解除する。ついで、係合軸１６を係合板９の方向へ摺動させ、図３の破線で示すように係合軸１６の先端部を係合穴１０に係合させる。ついで、係合軸１６を軸心回りに回動させ、操作突起１７を係合溝１９ｂに係合させる。
【００２８】
これにより、係合軸１６は先端部を係合穴１０に係合させた状態で摺動動作を規制され、乗かご３を位置固定することができ、作業中に乗かご３が昇降するという事故の発生を防止することができる。
【００２９】
作業位置に応じて乗かご３の固定位置を変更する場合には、係合穴１０への係合軸１６の係合を一旦解除し、乗かご３を昇降させて係合軸１６を他の係合穴１０に対向させ、係合軸１６を摺動させて対向して位置する他の係合穴１０に係合させる。
【００３０】
また、作業位置に応じて乗かご３の固定位置を変更する場合には、支持板７への係合板９の連結位置を上下方向に変更することによっても行なえる。例えば、支持板７への係合板９の連結位置を、図４（ａ）に示す位置から図４（ｂ）に示す位置に変更する。図４（ａ）に示す位置から図４（ｂ）に示す位置への連結位置の変更は、係合板９と支持板７とを連結しているボルト１３を一旦外し、係合板９を上方へ移動させ、上方へ移動させた係合板９と支持板７とをボルト１３とナット１４とで再び連結することにより行なえる。
【００３１】
このようにして支持板７への係合板９の連結位置を上下方向に変更することにより、係合板９に形成されている係合穴１０の位置が上下方向に移動するので、係合穴１０に係合軸１６を係合させて行なう乗かご３の固定位置を上下方向に変更することができる。なお、乗かご３の位置固定を、図４（ａ）に示した係合板９の最も下側の係合穴１０を用いて行なった場合と、図４（ｂ）に示した係合板９の最も上側の係合穴１０を用いて行なった場合とでは、乗かご３の固定位置を上下方向で寸法“ａ”変更することができる。
【００３２】
係合板９は、ガイドレール２に直接固定されているのではなく、ガイドレール２に固定された支持板７に固定されているため、係合板９の上下方向への位置変更を、ガイドレール２に取付けられている様々な機器や部材及び継ぎ目板等の影響を受けることなく自由に行なうことができる。したがって、係合板９の固定位置を上下方向に自由に変更することにより、その係合板９に形成されている係合穴１０を用いて行なう乗りかご３の位置固定を、最善の固定位置で行なうことができる。これにより、乗かご３の上に乗って行なう保守点検等の作業を行なう作業員は、作業しにくい姿勢を強いられることなく、楽な姿勢で容易に作業を行なうことができる。
【００３３】
（第２の実施の形態）
本発明の第２の実施の形態を、図５ないし図７に基づいて説明する。なお、第２の実施の形態及びその他の実施の形態において、先行して説明した実施の形態の構成要素と同じ構成要素には同じ符号を付け、重複する説明は省略する。
【００３４】
第２の実施の形態では、エレベータ昇降路１内に設置された一対のガイドレール２のうちの一方のガイドレール２に、このガイドレール２おけるガイドシュー５が係合する側の裏面側に位置して係合体である係合板９ａがボルト８により固定されている。なお、図５では係合板９ａを一つだけ示しているが、係合板９ａはガイドレール２の長手方向に沿って所定間隔ごとに複数固定されている。係合板９ａには、上下方向に沿って複数の係合穴１０が形成されている。
【００３５】
かご枠４の上部には、固定装置２１が取付けられている。固定装置２１は、外装ケース２２と摺動体である係合軸２３とを有している。係合軸２３は、水平方向に延出する水平部２４ａと垂直方向に延出する垂直部２４ｂとを有してＬ字形に屈曲形成された第１軸２４と、水平方向に延出する水平部２５ａと垂直方向に延出する垂直部２５ｂとを有してＬ字形に屈曲形成された第２軸２５とを連結することにより形成されている。
【００３６】
第１軸２４と第２軸２５との連結は、中空状に形成された垂直部２５ｂに垂直部２４ｂを摺動可能に嵌合させ、垂直部２４ｂに形成された挿通穴２６と垂直部２５ｂに形成された挿通穴２７とを水平方向で対向させ、対向させた挿通穴２６，２７にネジ付きピン２８を挿通して蝶ナット２９を螺合することにより行なわれている。
【００３７】
なお、垂直部２５ｂにはその長手方向に沿って複数の挿通穴２７が形成されており、垂直部２４ｂの挿通穴２６と水平方向で対向する挿通穴２７を変更してネジ付きピン２８を挿通することにより、係合軸２３を上下方向に伸縮させることができる。
【００３８】
係合軸２３は、第１軸２４の水平部２４ａ及び第２軸２５の水平部２５ａの軸心方向に沿って摺動可能、及び、第１軸２４の水平部２４ａの軸心回りに回動可能に外装ケース２２に保持されている。
【００３９】
第１軸２４の水平部２４ａには、係合軸２３を水平部２４ａの軸心回りに回動操作し、及び、係合軸２３を水平部２４ａ，２５ａの軸心方向に摺動操作する場合に把持する操作突起１７が設けられている。外装ケース２２には、操作突起１７を係合させて係合軸２３の摺動動作を規制する一対の係合溝１９ａ，１９ｂが形成されている。係合軸２３を水平部２４ａ，２５ａの軸心方向に摺動操作し、摺動操作した位置で係合軸２３を水平部２４ａの軸心回りに回動させて操作突起１７をいずれかの係合溝１９ａ，１９ｂに係合させることにより、係合軸２３を摺動操作した位置で位置固定することができる。
【００４０】
なお、係合板９ａに形成されている係合穴１０は、第２軸２５の水平部２５ａの先端部が係合可能な寸法に形成されている。このため、図６の実線で示すように水平部２５ａと係合穴１０とを水平方向で対向するように位置合わせし、係合軸２３を係合板９の方向に摺動させることにより、図６の破線で示すように水平部２５ａの先端部が係合穴１０に係合する。
【００４１】
このような構成において、保守点検等の作業を行なうために乗かご３を位置固定する場合には、図６の実線で示すように、第２軸２５の水平部２５ａがいずれかの係合穴１０に水平方向で対向する位置で乗かご３を停止させ、乗かご３の上に乗った作業員が係合軸２３を回動操作及び摺動操作する。この回動操作及び摺動操作では、操作突起１７が係合溝１９ａに係合している係合軸２３を水平部２４ａの軸心回りに回動させ、操作突起１７と係合溝１９ａとの係合を解除する。ついで、係合軸２３を係合板９の方向へ摺動させ、図６の破線で示すように水平部２５ａの先端部を係合穴１０に係合させ、及び、操作突起１７を係合溝１９ｂに係合させる。
【００４２】
これにより、係合軸２３は、水平部２５ａの先端部を係合穴１０に係合させた状態で摺動動作を規制され、乗かご３を位置固定することができ、作業中に乗かご３が昇降するという事故の発生を防止することができる。
【００４３】
作業位置に応じて乗かご３の固定位置を変更する場合には、係合穴１０への水平部２５ａの係合を一旦解除し、乗かご３を昇降させ、水平部２４ａを対向して位置する他の係合穴１０に係合させる。
【００４４】
また、作業位置に応じて乗かご３の固定位置を変更する場合には、係合軸２３を上下方向に伸縮させることによっても行なえる。例えば、図６に示すように垂直部２４ｂに形成されている挿通穴２６と垂直部２５ｂに形成されている挿通穴２７とに挿通されているネジ付きピン２８を一旦外し、図７に示すように第２軸２５を上方に摺動させ、垂直部２４ｂに形成されている挿通穴２６を垂直部２５ｂに形成されている他の挿通穴２７に対向させ、これらの挿通穴２６，２７にネジ付きピン２８を挿通して蝶ナット２９を螺合させることにより行なえる。
【００４５】
このようにして係合軸２３を上下方向へ伸縮させることにより、水平部２５ａの先端部を係合板９の同じ係合穴１０に係合させた場合であっても、乗かご３の固定位置を上下方向に変更することができる。したがって、係合軸２３を上下方向に伸縮させることにより、ガイドレール２に取付けられている様々な機器や部材及び継ぎ目板等の影響を受けることなく乗かご３を最善の固定位置で位置固定することができる。これにより、乗かご３の上に乗って行なう保守点検等の作業を行なう作業員は、作業しにくい姿勢を強いられることなく、楽な姿勢で容易に作業を行なうことができる。
【００４６】
（第３の実施の形態）
本発明の第３の実施の形態を、図８及び図９に基づいて説明する。第３の実施の形態は、第１の実施の形態で説明したように、ガイドレール２に固定した支持板７に係合板９を上下方向位置調節可能に連結し、さらに、第２の実施の形態で説明したように、係合軸２３は第１軸２４と第２軸２５とを連結することにより形成されている。そして、乗かご３を位置固定する場合には、第２軸２５の水平部２５ａの先端部が係合板９の係合穴１０に係合される。
【００４７】
このような構成において、保守点検等を行う作業位置に応じて乗かご３の固定位置を変更する場合には、支持板７への係合板９の連結状態を上下方向に変更し、及び、係合軸２３を上下方向に伸縮させることによって行なうことができる。
【００４８】
支持板７への係合板９の連結状態を上下方向に変更し、及び、係合軸２３を上下方向に伸縮させることにより、ガイドレール２に取付けられている様々な機器や部材及び継ぎ目板等の影響を受けることなく乗かご３を最善の固定位置で位置固定することができる。これにより、乗かご３の上に乗って行なう保守点検等の作業を行なう作業員は、作業しにくい姿勢を強いられることなく、楽な姿勢で容易に作業を行なうことができる。
【００４９】
また、第３の実施の形態によれば、乗かご３の固定位置を変更する場合に、係合軸２３を上下方向に伸縮させるとともに係合板９を上下方向に位置調節するため、第２の実施の形態と比較して係合軸２３の上下方向への伸縮量を少なくすることができる。そして、係合軸２３の上下方向への伸縮量を少なくすることにより、第１軸２４や第２軸２５の曲げ部に作用する応力集中を抑えることができ、耐久性を高めることができる。
【００５０】
（第４の実施の形態）
本発明の第４の実施の形態を、図１０及び図１１に基づいて説明する。第４の実施の形態では、図１０に示すように、係合体３１が３枚の板部材３１ａ，３１ｂ，３１ｃにより形成され、この係合体３１が、ガイドレール２を上下方向で連結する継ぎ目板３２内に形成された収納空間３３内に引出可能に収納されている。板部材３１ａには突起３４が形成され、この突起３４が板部材３１ｂに形成された案内溝３５に摺動可能に係合されている。また、板部材３１ｂには突起３６が形成され、この突起３６が板部材３１ｃに形成された案内溝３７に摺動可能に係合されている。さらに、板部材３１ｃには突起３８が形成され、この突起３８が収納空間３３の内側面に形成された案内溝３９に摺動可能に係合されている。
【００５１】
板部材３１ａの先端側には、取っ手４０と係合穴４１とが形成され、取っ手４０を把持して引っ張ることにより、図１１に示すように、板部材３１ａ〜３１ｃが次々と収納空間３３内から引き出され、同一水平面内に配列される。そして、係合穴４１が第２の実施の形態で説明した係合軸２３の水平部２４ａの先端部に対向する。なお、突起３４と案内溝３５との係合箇所、突起３６と案内溝３７との係合箇所、及び、突起３８と案内溝３９との係合箇所は、板部材３１ａ〜３１ｃを収納空間３３に出し入れした場合でも外れない構造となっている。
【００５２】
このような構成において、保守点検等の作業のために乗かご３を位置固定する場合には、継ぎ目板３２の収納空間３３内に収納されている板部材３１ａ〜３１ｃを図１１に示すように引出し、板部材３１ａに形成されている係合穴４１を水平部２５ａの先端部に対向させる。そして、係合軸２３を板部材３１ａの方向へ摺動させ、水平部２５ａの先端部を係合穴４１に係合させることにより、乗かご３を位置固定することかできる。
【００５３】
乗かご３を位置固定して行なう作業が終了した後は、係合穴４１への水平部２５ａの係合を解除した後、板部材３１ａの取っ手４０を把持して収納空間３３側へ押すことにより、全ての板部材３１ａ〜３１ｃが収納空間３３内に収納される。
【００５４】
したがって、乗かご３を位置固定して行なう保守点検等の作業時以外には、３枚の板部材３１ａ，３１ｂ，３１ｃにより形成された係合体３１がエレベータ利用者から見えなくなり、ガイドレール２の周囲がすっきりした構造となり、エレベータの美観を向上させることができる。
【００５５】
（第５の実施の形態）
本発明の第５の実施の形態を、図１２ないし図１６に基づいて説明する。第５の実施の形態では、かご枠４の上部両端側に架台５１が固定され、これらの架台５１上に収容体５２と支え体５３とが回動可能に取付けられている。
【００５６】
収容体５２は、図１３に示すようにガイドレール２から離反した位置と、図１４に示すようにガイドレール２に寄った位置と回動可能に設けられている。支え体５３は、図１４に示すようにガイドレール２に寄った位置に回動した収容体５２をその位置で保持するように支える位置と、図１３に示すようにその支えを解除する位置とに回動可能に設けられている。
【００５７】
収容体５２には、この収容体５２をガイドレール２に寄った位置に回動させた場合、ガイドレール２の両側面に対向するとともに上方から下方に向けてガイドレール２の側面に近付くように傾斜した一対の傾斜面部５４が形成されている。
【００５８】
さらに、収容体５２には、収容体５２をガイドレール２に寄った位置に回動させた場合に、ガイドレール２と傾斜面部５４との間に食い込むクサビ体５５が収容されている。クサビ体５５には引掛け部５６が形成されており、この引掛け部５６が収容体５２に設けられたフック部５７に係脱可能に引掛けられている。クサビ体５５における傾斜面部５４と対向する面は、傾斜面部５４の傾斜角と同じ傾斜角を有している。
【００５９】
収容体５２をガイドレール２に寄った位置に回動させた場合、引掛け部５６をフック部５７に引掛けて支持されているクサビ体５５は、図１５に示すように傾斜面部５４とガイドレール２とに対して離反している。しかし、引掛け部５６をフック部５７から外すと、クサビ体５５は自重により落下し、傾斜面部５４とガイドレール２との間に食い込む。
【００６０】
このような構成において、保守点検等の作業を行なうために乗かご３を位置固定する場合には、乗かご３を任意の位置で停止させ、乗かご３の上に乗った作業員が収容体５２を図１４に示すようにガイドレール２に寄った位置に回動させ、さらに、回動させた収容体５２を回動位置で支える位置に支え体５３を回動させる。ついで、クサビ体５５の引掛け部５６をフック部５７から外し、クサビ体５５を自重により落下させる。
【００６１】
自重により落下したクサビ体５５は、傾斜面部５４とガイドレール２との間に食い込み、乗かご３を位置固定することができる。これにより、保守点検等の作業時における乗りかご３の位置固定を最善の固定位置で行なうことができ、乗かご３の上に乗って行なう保守点検等の作業を行なう作業員は、作業しにくい姿勢を強いられることなく、楽な姿勢で容易に作業を行なうことができる。
【００６２】
なお、保守点検等の作業時には、つり合い重り側に比べて乗かご３側の重量が少ないため、乗かご３には上昇する向きの力が作用し、この力の作用によって傾斜面部５４とガイドレール２との間へのクサビ体５５の食い込みが助長され、作業中に乗かご３が上昇するという事故の発生を防止することができる。
【００６３】
また、保守点検等の作業終了後は、乗かご３を僅かに下降させれば、傾斜面部５４とガイドレール２との間へのクサビ体５５の食い込みが解除され、クサビ体５５を持ち上げて引掛け部５６をフック部５７に引掛けることができる。クサビ体５５の引掛け部５６をフック部５７に引掛けた後は、収容体５２を図１３に示すようにガイドレール２から離反する位置に回動させ、乗かご３を昇降させる。
【符号の説明】
【００６４】
１      エレベータ昇降路
２      ガイドレール
３      乗かご
７      支持板（支持体）
９      係合板（係合体）
９ａ    係合板（係合体）
１０      係合穴
１６      係合軸（摺動体）
２１      固定装置
２３      係合軸（摺動体）
５２      収容体
５４      傾斜面部
５５      クサビ体
【図１】
2011051733.tif 000003
【図２】
2011051733.tif 000004
【図３】
2011051733.tif 000005
【図４】
2011051733.tif 000006
【図５】
2011051733.tif 000007
【図６】
2011051733.tif 000008
【図７】
2011051733.tif 000009
【図８】
2011051733.tif 000010
【図９】
2011051733.tif 000011
【図１０】
2011051733.tif 000012
【図１１】
2011051733.tif 000013
【図１２】
2011051733.tif 000014
【図１３】
2011051733.tif 000015
【図１４】
2011051733.tif 000016
【図１５】
2011051733.tif 000017
【図１６】
2011051733.tif 000018
【図１７】
2011051733.tif 000019